(57)【要約】【課題】  使用済みのエアゾール容器の残留ガスの抜き取りを、簡単な操作で行えるようにするとともに、消費者に、ガス抜きを行うことに対する意識付けを喚起できるようにしたエアゾール容器のガス抜き機構を提供すること。【解決手段】  噴出ヘッドと、噴出ヘッドを囲み噴出用の切欠部と押下げ操作用の切欠部を設けた筒状体によって形成された肩カバーとをエアゾール容器に取着した噴出容器であって、肩カバーに、噴出ヘッドの頂壁上面に対応する位置に底面を有するコイン差込孔を設け、コインを差込むことによって噴出ヘッドの押下げに係わる操作をするようにしたことを特徴とする。【選択図】  図１
2007119041.tif 000002
【特許請求の範囲】
【請求項１】
噴出ヘッドと、噴出ヘッドを囲み噴出用の切欠部と押下げ操作用の切欠部を設けた筒状体によって形成された肩カバーとをエアゾール容器に取着した噴出容器であって、
肩カバーに、噴出ヘッドの頂壁上面に対応する位置に底面を有するコイン差込孔を設け、コインを差込むことによって噴出ヘッドの押下げに係わる操作をするようにしたことを特徴とするエアゾール容器のガス抜き機構。
【請求項２】
コイン差込孔が、操作用の切欠部の両側側壁にわたるように設けられていることを特徴とする請求項２記載のエアゾール容器のガス抜き機構。
【請求項３】
噴出ヘッドが、噴出孔側を高くした傾斜面とした頂壁を具え、コイン差込孔の底面が上昇時の噴出ヘッドの傾斜面後端部より上にあることを特徴とする請求項１または２記載のエアゾール容器のガス抜き機構。 
【請求項４】
噴出ヘッドが、上面を水平面とした頂壁を具え、コイン差込孔の底面が押し下げ時の噴出ヘッドの頂壁上面より上にあることを特徴とする請求項１または２記載のエアゾール容器のガス抜き機構。
【発明の詳細な説明】
【技術分野】
【０００１】
本発明は、エアゾール容器、とくに使用後における容器内の残留ガスの抜き取り機構に関するものである。
【背景技術】
【０００２】
使用済みエアゾール容器の残留ガスを抜き取るために、噴出ヘッドを押下げ位置に維持して残留ガスを抜き取るようにした内容物噴出容器は、従来より周知となっており、噴出ヘッドを廻動させることで、肩カバーとの係合により噴出ヘッドを下降させ、押下げ位置に維持して残留ガスを抜き取るようにした内容物噴出容器も従来より知られている（例えば、特許文献１参照）。
【特許文献１】特開２００３−１６５６８６号公報
【発明の開示】
【発明が解決しようとする課題】
【０００３】
しかしながら、上記特許文献記載の内容物噴出容器では、エアゾール容器内にまだ使用できる内容物が残っている時に、誤って噴出ヘッドを廻動すると、噴出ヘッドを押下げ位置に維持して内容物を無駄に噴出してしまうという問題があった。
【０００４】
本発明は、上記問題を解決することを課題とし、使用済みのエアゾール容器の残留ガスの抜き取りを、簡単な操作で行えるようにするとともに、消費者に、ガス抜きを行うことに対する意識付けを喚起できるようにしたエアゾール容器のガス抜き機構を提供することを目的とする。
【課題を解決するための手段】
【０００５】
本発明は、上記の課題を解決するため、エアゾール容器のガス抜き機構として、噴出ヘッドと、噴出ヘッドを囲み噴出用の切欠部と押下げ操作用の切欠部を設けた筒状体によって形成された肩カバーとをエアゾール容器に取着した噴出容器であって、肩カバーに、噴出ヘッドの頂壁上面に対応する位置に底面を有するコイン差込孔を設け、コインを差込むことによって噴出ヘッドの押下げに係わる操作をするようにしたことを特徴とする構成を採用する。
【０００６】
コイン差込孔の実施態様として、コイン差込孔が、操作用の切欠部の両側側壁にわたるように設けられていることを特徴とする構成を採用する。
【０００７】
噴出ヘッドの実施態様として、噴出ヘッドが、噴出孔側を高くした傾斜面とした頂壁を具え、コイン差込孔の底面が上昇時の噴出ヘッドの傾斜面後端部より上にあることを特徴とする構成、或いは、噴出ヘッドが、上面を水平面とした頂壁を具え、コイン差込孔の底面が押し下げ時の噴出ヘッドの頂壁上面より上にあることを特徴とする構成を採用する。
【発明の効果】
【０００８】
肩カバーに設けた操作用の切欠部の両側の側壁にわたるようにコインの差込孔を設け、コインを差込むことによって噴出ヘッドを押下げること、或いは、押下げ状態を維持することができるので、残留ガスの抜き取りがきわめて簡単にできるようになった。
また、ガス抜き取りに際して、コインを使うという異質の操作を行うので、ガス抜きをするという意識付けができるようになった。
【発明を実施するための最良の形態】
【０００９】
次に、本発明のエアゾール容器のガス抜き機構について実施例をあげ、図面を参照して説明する。
【実施例１】
【００１０】
図１、２において、Ａはエアゾール容器、Ｂはエアゾール容器Ａに装着された噴出ヘッド、Ｃはエアゾール容器Ａに装着され、噴出ヘッドＢをカバーする肩カバーである。
【００１１】
エアゾール容器Ａは、金属製、または合成樹脂製であり、胴部１と、胴部１上端から内側上方に傾斜する肩部２と、肩部２上端に連設されたマウンテンカップ３とを具備している。
マウンテンカップ３は、上部外周に肩カバーＣを装着する係合環４を形成し、内方中央には、上端にステム５を突出したエアゾールバルブが配設されている。
【００１２】
噴出ヘッドＢは、合成樹脂によって成形され、エアゾール容器Ａのステム５に装着されており、頂壁１０と噴出孔１１を配設した側周壁１２とを具えている。
頂壁１０は、噴出孔１１の側を高くした傾斜面からなっており、側周壁１２の外周面には、肩カバーＣと係合して噴出ヘッドＢの上下動を案内するための突出片１３が設けられている。  
【００１３】
肩カバーＣは、合成樹脂によって一体成形され、噴出ヘッドＢを囲む内周壁と外周壁、それらの上端を結ぶ上壁とからなる筒状体によって構成されており、上方部前方には、内容液を噴出させるための噴出用の切欠部２０と、上方部後方には押下げ操作のための操作用の切欠部２１が形成されている。
筒状体は、内周壁を構成する内筒２２と、下端が係合環４に係合される係合筒２３と、外周壁を構成する下端がエアゾール容器Ａの肩部２上面に当接する外筒２４と、頂壁２５とを具えるとともに、噴出用の切欠部２０は、傾斜壁２６と対向する側壁２７によって構成され、操作用の切欠部２１は、上壁２８と側壁２９によって構成されている。
【００１４】
操作用の切欠部２１の対向する側壁２９には、コイン差込孔３０がそれぞれの側壁を削って水平方向に延びるように刻設されており、その底面３１は、最上昇位置にある噴出ヘッドＢの頂壁１０後端部よりやや上になるように位置している。
【００１５】
内筒２２内周面には、噴出ヘッドＢの突出片１３と係合し、上下動を案内する案内溝３２が設けられている。
また、突出片１３と案内溝３２に変え、突起と突起を挟む案内突条としてもよく、噴出ヘッドの上下動を案内するものであれば形状、配設場所はとくに限定されない。
【００１６】
係合筒２３の下端内周には、膨出突条３３が設けられ、装着時に係合環４に係合するようにしている。
【００１７】
次に、本実施例の噴出容器の使用態様と、作用効果について説明する。
噴出容器の組立は、エアゾール容器のステム５に噴出ヘッドＢを装着し、次いで、肩カバーＣを、噴出孔１１の方向と噴出用の切欠部２０の方向が一致するようにエアゾール容器Ａの係合環４に装着する。
その際、突出片１３と案内突条３２は係合されるようになっている。
【００１８】
噴出ヘッドＢの押下げ操作は、肩カバーＣの操作用の切欠部２１から手指を入れ、頂壁１０を押下げることによって内容物を噴出孔１１から噴出することができる。
【００１９】
内容物の使用が終わって、エアゾール容器Ａを廃棄する際には、エアゾール容器Ａ内の残留ガスの抜き取りを行う。
抜き取りに当たって、コイン差込孔３０にコイン３５または類似の円板を挿入する。
【００２０】
図３、４に示すように、コイン差込孔３０の底面は、噴出ヘッドＢ上昇時の頂壁１０後端よりやや上にあるからコイン３５を押込んでいくと、頂壁１０の傾斜面上を摺動して、噴出ヘッドＢを一定の位置まで押下げ、残留ガスの抜き取りが行われる。
コイン差込孔３０は水平であるので、コイン３５を挿入したまま手を離してもガスの抜き取りが継続され、エアゾールＡ内の残留ガスや内容物は抜き取られ、エアゾール容器を安全に廃棄することができる。
【００２１】
残留ガスの抜き取りは、コイン３５をコイン差込孔３０に入れるだけで、きわめて簡単にできるようになり、また、その操作はコインの挿入というきわめて異質の操作を行うので、使用者にガス抜きをするという意識付けをさせることもできる。
【実施例２】
【００２２】
次に、頂壁を水平面とした噴出ヘッドを用いた実施例について説明する。
以下、前実施例と同一の構成部分については、同一の符号を付して図示するだけにとどめ、相違点を中心に説明する。
【００２３】
図５において、Ａはエアゾール容器、Ｂａは噴出ヘッド、Ｃａは肩カバーである。
噴出ヘッドＢａは、水平面とした頂壁１０ａと、噴出孔１１ａを具えた側周壁１２ａとからなり、エアゾール容器Ａのステム５に装着され、押下げ操作に応じて噴出孔１１ａより内容物を噴出する。
側周壁１２ａの所定の位置には、回り止めのための突出片１３ａが設けられている。
【００２４】
肩カバーＣａは、前記第１実施例と同様の構成を有しているが、コイン差込孔３０ａの底面３１ａは、噴出ヘッドＢａを押下げ、内容物を噴出させるときの頂壁１０ａの上面よりやや上、またはほぼ一致させるように位置している。
【００２５】
次に、本実施例の噴出容器の使用態様と作用効果について説明する。
噴出容器の組立と噴出操作は、第１実施例と同様に行われ、内容物を噴出孔１１ａから噴出することができる。
【００２６】
内容物の使用終了後のエアゾール容器Ａの残留ガスの抜き取りにあたって、まずはじめに、噴出ヘッドＢａを内容物噴出位置まで押下げ、次いでコイン差込孔３０ａにコイン３５を差込むと、噴出ヘッドＢａは、コイン３５によって上昇が阻止される。
そのまま、噴出ヘッドＢａから手を離しても残留ガスの抜き取りが維持され、エアゾール容器Ａ内の残留ガスや内容物は抜き取られ、エアゾール容器は安全に廃棄することができる。
【産業上の利用可能性】
【００２７】
本発明は、肩カバーに設けられたコイン差込孔にコインを入れるというきわめて簡単な操作によって残留ガスの抜き取りができるので、種々のエアゾール容器のガス抜き機構として広く利用できる。
【図面の簡単な説明】
【００２８】
【図１】本発明第１実施例の噴出容器の断面立面図である。
【図２】噴出容器のガス抜き前の斜視図である。
【図３】噴出容器のガス抜き時の断面立面図である。
【図４】噴出容器のガス抜き時の斜視図である。
【図５】第２実施例の噴出容器の断面立面図である。
【図６】噴出容器のガス抜き時の斜視図である。
【符号の説明】
【００２９】
Ａ        エアゾール容器
Ｂ、Ｂａ  噴出ヘッド
Ｃ、Ｃａ  肩カバー
１        胴部
２        肩部
３        マウンテンカップ
４        係合環
５        ステム
１０、１０ａ  頂壁
１１、１１ａ  噴出孔
１２、１２ａ  側周壁
１３、１３ａ  突出片
２０      噴出用の切欠部
２１      操作用の切欠部
２２      内筒
２３      係合筒
２４      外筒
２５      頂壁
２６      傾斜壁
２７      側壁
２８      上壁
２９      側壁
３０、３０ａ  コイン差込孔
３１、３１ａ  底面
３２      案内突条
３３      膨出突条
３５      コイン
【図１】
2007119041.tif 000003
【図２】
2007119041.tif 000004
【図３】
2007119041.tif 000005
【図４】
2007119041.tif 000006
【図５】
2007119041.tif 000007
【図６】
2007119041.tif 000008